(57)【要約】【課題】表示パネル裏面のリアキャビネットの存在を意識させない薄型の表示装置を提供すること、また、該表示装置を支持するためのスタンドを提供すること。【解決手段】本発明の表示装置１は、バックライトシャーシ１２上に設けられたメイン基板キャビネット２１とソース基板キャビネット２２を有しており、スタンド３０の上部に設けられたスタンド金具３１をメイン基板キャビネット１２上に固着することによって保持される。スタンド金具３１は、メイン基板キャビネット１２の全てを覆って固着されていることから、表示装置１の裏面から見ても、メイン基板キャビネットの存在自体が意識されることがない薄型の表示装置が提供される【選択図】図１
2014071368.tif 000002
【特許請求の範囲】
【請求項１】
表示パネルと、前記表示パネルの背面をカバーし前記表示パネルを保持するするシャーシと、前記表示パネルを駆動するための駆動回路が搭載された回路基板と、前記回路基板部分をカバーするリアキャビネットを有した表示装置であって、
前記シャーシは、シャーシのみで表示パネルを保持できる剛性を有するものであり、
前記回路基板は、表示装置のための信号処理部等が搭載されたメイン基板と、ソースドライバが搭載されたソース基板を有しており、
前記リアキャビネットは、前記メイン基板をカバーするメイン基板キャビネットと、前記ソース基板をカバーするソース基板キャビネットを有するものであって、前記メイン基板は、前記シャーシの下辺中央部に取り付けられており、
少なくとも前記メイン基板キャビネットの全面がスタンド金具によって覆われていることを特徴とする表示装置。
【請求項２】
前記ソース基板は、前記シャーシの下辺部であって、表示パネルの下辺部の全長に渡って延びており、前記リアキャビネットは、前記メイン基板をカバーするメイン基板キャビネットと前記ソース基板をカバーするソース基板キャビネットによって逆Ｔ字型に形成されていることを特徴とする請求項１に記載の表示装置。
【請求項３】
前記表示パネルはエッジライト方式の液晶パネルであり、前記シャーシの下辺部にはバックライト光源用のＬＥＤを搭載したＬＥＤ基板が設けられていることを特徴とする請求項１又は２に記載の表示装置。
【請求項４】
前記シャーシの前記メイン基板取付け部の両サイドには、前記スタンド金具を取り付けるための断面Ｌ字状の取付け部が形成されていて、前記シャーシと前記Ｌ字状の取付け部との間にスタンド金具取付け用の隙間が形成されており、
前記スタンド金具は、前記スタンド金具取付け用の隙間に着脱可能に取り付けられていることを特徴とする請求項１から３のいずれか一項に記載の表示装置。
【請求項５】
前記スタンド金具取付け用の隙間には、前記スタンド金具に代えて、壁掛け保持具が取り付けられており、壁掛け保持可能に構成された請求項４に記載の表示装置。
【請求項６】
請求項１から５のいずれか一項に記載の表示装置を有するテレビ。
【発明の詳細な説明】
【技術分野】
【０００１】
本発明は、液晶パネル等を表示パネルに用いた表示装置、及び該表示装置を用いたテレビに係り、特に、表示装置全体を薄型に構成することができる薄型の表示装置及び前記薄型の表示装置を用いたテレビに関する。
【背景技術】
【０００２】
近年、液晶テレビの薄型化、ＯＬＥＤ（Organic Light Emitting Diode）等の有機ＥＬテレビの薄型化が進められ、テレビ設置のためのスペースが大幅に削減されたテレビが普及しており、更には、壁掛け可能なテレビが普及してきている。
【０００３】
特許文献１には、表示装置支持のためのスタンドを表示装置の底面部に設けることにより、薄型化を図った表示装置が示されている。
【０００４】
図７は、特許文献１に示された表示装置の概略を示す図である。図７において、７１２は薄型に形成された表示装置本体の背面筐体であり、この背面筐体７１２の底部には挿入部７２０が設けられている。７４０は表示装置を保持するためのスタンドであり、スタンド上面にはテレビ本体を保持する支柱７４２が設けられている。スタンド７４０の支柱７４２を前記挿入部７２０に挿入して表示装置を保持する。
【０００５】
特許文献１に示された技術によれば、スタンド７４０自体は表示装置の底部に設けられ、従って、表示装置全体としての薄型化が図られることになり、また、スタンドの取り外しも背面筐体７１２を表示装置本体に付けたままの状態で容易に行うことができることになる。
【０００６】
特許文献２には、表示パネルの支持構造の剛性を確保しながら、表示ディスプレイ部の厚さを抑制した表示装置が示されている。
【０００７】
図８は、特許文献２に示された表示装置の概略を示す図である。図８において、３２０は表示パネルを示しており、該表示パネル３２０の背面下部には表示パネル３２０を保持するベースプレート３４０が設けられている。ベースプレート３４０には、本体スタンド１００から立設された支持部２００が結合されている。ベースプレート３４０は、プレス成形された金属板から構成されており、表示パネル３２０を背面から保持する剛性部材として機能しており、表示ディスプレイ部の厚さを抑制することができる。
【０００８】
特許文献３には、制御回路基板を、ディスプレイパネル構体の周辺部、スタンドユニット筐体内等に配置して薄型化を図った薄型テレビが示されている。
【０００９】
図９は、特許文献３に示された薄型テレビの概要を示す図である。図９において、ディスプレイパネルユニット９２の表示画面周辺の領域には薄型テレビに用いられる制御回路基板９５が配置されており、また、薄型テレビのスタンドユニット９７にも、制御回路基板９５が配置されている。なお、９８はスピーカユニットである。これによれば、通常、ディスプレイパネルユニット９２の背面に配置されることの多い制御回路基板９５が、ディスプレイパネルユニット９２の背面から除かれており、薄型のテレビが実現されることになる。
【先行技術文献】
【特許文献】
【００１０】
【特許文献１】特開２００７−１９２９２０号公報（２００７年８月２日公開）
【特許文献２】特開２００８−２９２６９６号公報（２００８年１２月４日公開）
【特許文献３】特開２００９−１９４５４１号公報（２００９年８月２７日公開）
【発明の概要】
【発明が解決しようとする課題】
【００１１】
特許文献１に開示の発明によれば、スタンド７４０を背面筐体７１２部分に取り付けるタイプの表示装置に比較して、可也の薄型化が図られることになるが、背面筐体７１２自体、内部の回路基板等を覆っており、大幅な薄型化を実現できるものではない。
【００１２】
特許文献２に開示の発明によれば、表示パネル自体の薄型化は達成されているが、制御回路基板等は本体スタンド１００内に収容されており、表示パネル部分への配線が必要になる等、構造が比較的複雑であり、コストアップに繋がるという課題を有する。また、ベースプレート３４０とは別に表示パネル３２０の背面をカバーするためのリアカバー、Ｔカバー等を設ける必要があり、この点でもコストアップに繋がるという課題を有する。
【００１３】
特許文献３に開示の発明によれば、制御回路基板９５をディスプレイパネルユニット９２の背面に設ける必要がなくなることから、その分ディスプレイユニット９２の厚さを減らすことができるが、特許文献２に開示の発明と同様、ディスプレイパネルユニット９２への配線が必須であり、コスト的な面での課題を有することになる。
【００１４】
本発明は、上記の課題を解決するためになされたものであり、その主たる目的は、制御回路、駆動回路等を搭載した回路基板を表示パネルの背面に配置しながら、表示パネル全体としての厚みを減らすことができる表示装置を提供することであり、また、前記表示装置を保持するスタンドを提供することである。
【課題を解決するための手段】
【００１５】
上記の課題を解決するために、本願の発明に係る表示装置では、
表示パネルと、前記表示パネルの背面をカバーし前記表示パネルを保持するするシャーシと、前記表示パネルを駆動するための駆動回路が搭載された回路基板と、前記回路基板部分をカバーするリアキャビネットを有した表示装置であって、
前記シャーシは、シャーシのみで表示パネルを保持できる剛性を有するものであり、
前記回路基板は、表示装置のための信号処理部等が搭載されたメイン基板と、ソースドライバが搭載されたソース基板を有しており、
前記リアキャビネットは、前記メイン基板をカバーするメイン基板キャビネットと、前記ソース基板をカバーするソース基板キャビネットを有するものであって、前記メイン基板は、前記シャーシの下辺中央部に取り付けられており、少なくとも前記メイン基板キャビネットの全面がスタンド金具によって覆われていることを特徴としている。
【発明の効果】
【００１６】
本発明によれば、シャーシの下辺中央部に配置されたメイン基板キャビネットの全面を、スタンド金具によってカバーする構造であり、表示装置の裏面の大部分が、リアキャビネットの無い、シャーシが露出した薄型形状となり、表示装置の薄型化が達成できる。
【図面の簡単な説明】
【００１７】
【図１】本発明の基本的な考え方を説明するための図である。
【図２】液晶パネルを用いた場合の表示モジュールの詳細を示す図である。
【図３】本発明の一実施形態に係る表示装置の断面構造を示す図である。
【図４】本発明の一実施形態に係る表示装置の概要を示す図である。
【図５】本発明の一実施形態に係るスタンド金具を示す図である。
【図６】表示装置を壁掛け保持する例を示した図である。
【図７】従来の表示装置の例を示す図である。
【図８】従来の表示装置の他の例を示す図である。
【図９】従来の薄型テレビの例を示す図である。
【発明を実施するための形態】
【００１８】
本発明の１実施形態に係る表示装置、及び該表示装置に用いられるスタンドについて、図１〜図５を参照して説明する。なお、以下の説明では本発明を実施するために好ましい種々の限定が付加されているが、本発明の技術的範囲は以下の実施形態及び図面の記載に限定されるものではない。また、図面は正しい縮尺で記載されておらず、より説明しやすいように一部が拡大されている場合がある。
〔表示装置の基本的な考え方〕
本発明に係る表示装置の基本的な考え方について、図１を参照して説明する。以下に示す実施形態では、表示パネルとして液晶パネルを用いたものを用いて説明するが、本発明は表示パネルに液晶パネルを用いたものに限られるものではない。
【００１９】
図１（ａ）は、本発明に係る表示装置１を一部分解して示す図であり、図１（ｂ）は、組立てられた状態の表示装置１を示す図である。図１（ａ）、（ｂ）において、表示装置１は、バックライトシャーシ１２を有する表示モジュール１０と、表示装置駆動のための駆動回路等が形成された回路基板を覆うリアキャビネット２０と、リアキャビネット２０等が形成された表示モジュール１０等の全体を保持するスタンド３０を有している。図１（ａ）は、スタンド３０が分離された状態を示しており、図１（ｂ）は、スタンド３０が設置された状態を示している。
【００２０】
図１（ａ）、（ｂ）において、１２はバックライトシャーシであるとして説明しているが、これは既に述べたとおり、実施形態として、表示パネルに液晶パネルを用いた場合を例にして説明していることによる。即ち、図２を参照して説明するとおり、液晶パネルを用いた液晶表示装置の場合、１２はバックライトを保持するシャーシとしての機能をも果たすことから一般にバックライトシャーシと呼ばれているが、表示パネルとして有機ＥＬパネル等を用いた場合にはバックライトが不要になることから、バックライトシャーシの名称は、必ずしも最適な名称とはならない。表示装置として、特に、液晶パネルのみを対象としていない場合には、本明細書中では、「バックライトシャーシ」に代えて、単に「シャーシ」と記載する。
【００２１】
図１（ａ）、（ｂ）において、リアキャビネット２０は、メイン基板キャビネット２１とソース基板キャビネット２２の２つのキャビネットに分割されて示されているが、メイン基板キャビネット２１は、表示モジュール１０を駆動するための各種信号処理部を搭載する回路基板（メイン基板）部分をカバーするキャビネットであり、ソース基板キャビネット２２は、ソースドライバ等が搭載される回路基板（ソース基板）部分をカバーするキャビネット２２である。
【００２２】
即ち、表示モジュール１０をテレビ等の表示装置として使用する場合には、画像を表示させるための受信部、各種信号処理部が必要であり、更に、表示パネルを駆動するためのソースドライバが必要になる。メイン基板には、前記のとおり、画像を表示させるための受信部、各種信号処理部が搭載され、また、ソース基板には、ソースドライバ等が搭載される。メイン基板、ソース基板等の詳細は、図４を参照して後で詳細に説明する。
【００２３】
なお、表示モジュールが、液晶パネルを用いた液晶モジュールの場合には、メイン基板には、更に光源駆動部等を搭載する回路基板が含まれることになる。また、前記光源としてエッジライト方式のＬＥＤを用いている場合には、複数個のＬＥＤが表示モジュールの下辺部（或いは下辺端面部）に分散配置されることになる。これらの構成は既に公知であり、ここでは詳細な説明を省くが、図２、図３、図４を用いて後でその概略を説明する。
【００２４】
スタンド３０は、図１（ａ）に示すとおり、スタンド金具３１とスタンド支持部３２とスタンド台３３によって構成されている。スタンド金具３１は、図１（ｂ）に示すとおり、メイン基板キャビネット２１部分の全面をカバーし、且つ、表示モジュール１０の本体部分に固定されて、スタンド支持体３２、スタンド台３３と共に表示モジュール１０部分を固定・保持する。
【００２５】
スタンド金具３１は、図１（ｂ）に示すとおり、少なくともメイン基板キャビネット２１部分の全体（全面）をカバーしており、表示装置１の裏面からメイン基板キャビネット２１は目視できない。「少なくともメイン基板キャビネット２１部分の全体をカバーする」旨記載したのは、例えば、表示装置１を保持する際の固定強度の関係からメイン基板キャビネット２１を僅かに超える大きさにした場合、或いはソース基板の一部をもカバーするようにした場合等も含めるためであり、要は、少なくとも「メイン基板キャビネット２１」の部分全体をカバーしていることを意味している。
【００２６】
図１（ａ）、（ｂ）に示すとおり、バックライトシャーシ１２は、そのまま直接外面に露出しており、且つ、バックライトシャーシ１２を補強・保護する部材等を設けないことから、バックライトシャーシ１２は、バックライトシャーシ１２のみで表示パネルを保持できる剛性を有することが必要であり、強度的にも十分な部材を使用し、また、必要に応じて、裏面表面に塗装等を施すことになる。
【００２７】
以上の表示装置１では、バックライトシャーシの下辺中央部に配置されたメイン基板キャビネットの全面を、スタンド金具によってカバーする構造であり、表示装置の裏面の大部分が、リアキャビネットの無い、バックライトシャーシが露出した薄型形状となり、表示装置の薄型化が達成できる。即ち、表示装置１の大部分が、バックライトシャーシ１２に保持された表示パネルのみの厚さになり、言わば、表示装置として最小限の厚みになる。そして、スタンド３０のスタンド金具３１がメイン基板キャビネット２１部分の全面を覆っていることにより、この部分における表示装置１の厚みとして、メイン基板キャビネット２１の厚みは意識されることはなく、従って、表示装置全体としては、表示装置のための信号処理部等が表示装置の背面シャーシ上に搭載されていながら良好な薄型デザイン性を維持できるすっきりとした薄型の表示装置として認識されることになる。
〔液晶モジュールの構成例〕
図２、図３を用いて、本発明の表示装置に用いることができる液晶モジュールの構成例
を説明し、更に、図１を用いて説明したメイン基板、ソース基板の配置の状況、及びメイン基板をカバーする（覆う）メイン基板キャビネット２１、ソース基板をカバー（覆う）するソース基板キャビネット２２の配置状況を説明する。
【００２８】
図２は、表示モジュール１０の代表例として、液晶パネルを用いた液晶モジュールを示した図であり、各構成要素を分解して示している。図２において、１１は液晶パネルであり、１２はバックライトシャーシである。液晶パネル１１の裏面には、各種の光学シート１３、導光板１４、反射シート１５が配置されており、これら液晶パネル１１、各種の光学シート１３、導光板１４、反射シート１５が一体となって、フロントキャビネット１7と共にバックライトシャーシ１２に固定・保持される。なお、１６はＬＥＤ基板であり、液晶パネル用の光源として働くＬＥＤが搭載されている。
【００２９】
図２から明らかであるが、バックライトシャーシ１２は、表示パネルである液晶パネル１１の背面をカバーし、同時に、前記表示パネル（即ち、液晶パネル１１）を含めて光学シート１３、導光板１４、反射シート１５等を保持していることになる。
【００３０】
図３（ａ）、（ｂ）は、表示パネルとして液晶パネル１１を用いた表示装置１（図１参照）の断面図を示しており、光源としてエッジライト方式のＬＥＤを用いた表示装置を示している。図３（ａ）は、スタンド３０を取り付ける前の状態を示しており、図３（ｂ）はスタンド３０を取り付けた状態を示している。
【００３１】
図３において、図２と同一の部材には同一の番号を付与しているので、これらの部材の詳細な説明は省くが、図３によれば、液晶パネル１１、各種の光学シート１３、導光板１４、反射シート１５が一体となって、フロントキャビネット１7と共にバックライトシャーシ１２に固定・保持されている状況が理解できる。また、図３に示されるとおり、バックライトシャーシ１２の下辺部には、バックライト光源用のＬＥＤを設けたＬＥＤ基板１６が導光体１４の端面に対峙して設けられていて、ＬＥＤからの光が液晶パネルに導かれていることが分かる。
【００３２】
図３（ａ）、（ｂ）において、１２１は、メイン基板であり、１２２はソース基板である。メイン基板を覆ってメイン基板キャビネット２１が設けられており、ソース基板１２２を覆ってソース基板キャビネット２２が設けられている。メイン基板キャビネット２１、ソース基板キャビネット２２は、図示のとおり一体構成であっても良い。
【００３３】
図３（ｂ）には、更に、スタンド金具３１、スタンド支持体３２、スタンド台３３を含むスタンド３０が示されている。図３（ｂ）からも明らかであるが、スタンド金具３１は、メイン基板キャビネット２１の全体を覆って（カバーして）おり、このスタンド金具３１によって、液晶パネル１１等が保持・固定されたバックライトシャーシ１２を保持・固定している。図３に示した表示装置では、バックライトシャーシ１２は、バックライトシャーシ１２のみで表示パネルである液晶パネル１１を含めて光学シート１３、導光板１４、反射シート１５等を保持できる剛性を有していることになる。
【００３４】
なお、以上の説明では、特に表示パネルとして液晶パネルを用いたものを説明したが、表示パネルとしては液晶パネルに限られることは無く、有機ＥＬパネル等も用いられることは言うまでもない。有機ＥＬパネルでは、当然、光学シート１３、導光板１４、反射シート１５、ＬＥＤ基板１６等は不要である。
〔リアキャビネット及びスタンド金具のバックライトシャーシへの取付け〕
図４は、リアキャビネット２０をバックライトシャーシ１２に取付け、更に、スタンド金具３１をリアキャビネット２０の上に取り付ける状況を示している。
【００３５】
図４（ａ）において、１２０、１２０は、バックライトシャーシ１２の底辺部に近い位置に形成された切起し部であり、図４（ａ）に示されるように、左右に所定の間隔を隔てて対称にＬ字型に切起されている。切起し部１２０、１２０の頂面は、バックライトシャーシ１２と平行となるように構成されており、更に、前記切起し部１２０、１２０の頂面には、所定の間隔を隔てて孔が設けられている。
【００３６】
切起し部１２０、１２０に挟まれた領域にはメイン基板１２１が設けられている。切起し部１２０、１２０はバックライトシャーシ１２の下辺中央部付近に設けられていることから、メイン基板１２１は、バックライトシャーシ１２の下辺中央部に取り付けられていることになる。
【００３７】
メイン基板１２１は、表示装置のための信号処理部等が搭載された基板である。メイン基板１２１はビス止め等の適宜の方法によってバックライトシャーシに固定されているが、メイン基板１２１裏面のバックライトシャーシ１２部分に、開口を設けておいても良い。これによれば、メイン基板１２１とバックライトシャーシとの電気的な絶縁が容易になり、また、メイン基板の冷却にも好都合となる。メイン基板１２１の下辺部には、外部接続のための端子部１２４が設けられている。
【００３８】
バックライトシャーシ１２の最下辺部にはソース基板１２２が設けられている。ソース基板１２２は、ソースライン駆動用の回路（ソースドライバ）が搭載された基板であり、複数個のソースドライバ１２３が設けられている。図４（ａ）に示されるとおり、ソース基板１２２は、バックライトシャーシ１２の下辺部であって、表示パネルの下辺部の全長に渡って伸びている。
【００３９】
リアキャビネット２０は、メイン基板１２１をカバーするメイン基板キャビネット２１とソース基板１２２をカバーするソース基板キャビネット２２を有するものであり、図に示すとおり、一体で構成されていても良い。一体に構成された場合には、リアキャビネット２０は、メイン基板１２１をカバーするメイン基板キャビネット２１とソース基板１２２をカバーするソース基板キャビネット２２によって逆Ｔ字型に形成されていることになる。
【００４０】
逆Ｔ字型に形成されたリアキャビネット２０では、バックライトシャーシの最下辺部に、バックライトシャーシの横方向のほぼ全長に渡ってソース基板キャビネット２２が形成されることとなる。このため、バックライトシャーシ最下辺部に、比較的厚く且つ長い部分が形成されることとなるが、バックライトシャーシの最下辺部であり、これによって表示装置１全体の厚みが厚くなったという印象を与えることは無い。
【００４１】
なお、２３は、リアキャビネット２０に設けられた開口であり、後から説明する端子部１２４と外部機器との接続を容易にするためのものである。メイン基板１２１、ソース基板１２２は、表示パネルとしての液晶パネルを駆動するための駆動回路等が搭載された回路基板であり、従って、リアキャビネット２０は、この回路基板部分をカバーするキャビネットである。
【００４２】
リアキャビネット２０のメイン基板キャビネット２１部分は、バックライトシャーシ１２の切起し部１２０、１２０とほぼ同一の外形形状をもつように形成されている。したがって、リアキャビネット２０のメイン基板キャビネット２１部分をバックライトシャーシ１２の切起し部１２０に重ねると、図４（ｂ）に示すように、メイン基板１２１はメイン基板キャビネット２１によって完全に覆われる。また、ソース基板１２２は、ソース基板キャビネット２２によって完全に覆われる。
【００４３】
リアキャビネット２０がバックライトシャーシ１２の所定位置（即ち、切起し部１２０、１２０）に重ねられた後で、スタンド金具３１がメイン基板キャビネット２１部分を蓋うように重ねられ、装着されることになる。図４（ｂ）は、スタンド金具３１が装着される状況を示しており、図４（ｃ）は、スタンド金具３１が装着された後の状況を示しているが、これらを説明する前に、図５を用いてスタンド金具３１の１例を説明する。
【００４４】
図５には、スタンド金具３１の１例が示されている。図５（ａ）は、スタンド金具３１の斜視図であり、図５（ｂ）は、スタンド金具３１の正面図、背面図、左右の側面図、平面図、下からみた平面図を示している。
【００４５】
図５において、３１０は、スタンド金具３１の主要部を構成し、メイン基板２１をカバーする主面であり、この主面３１０の両サイドには、側壁部３１２、３１２が切起し形成されている。側壁部３１２、３１２には、スタンド金具の主面３１０から僅かな間隙を隔てて設けられた、主面３１０に平行な面が形成されている。また、スタンド金具３１の上部には蓋部３１１が形成されている。
【００４６】
図４に戻って、バックライトシャーシ１２にスタンド金具３１を装着する方法を説明する。既に説明したとおり、図４（ｂ）には、バックライトシャーシ１２の切起し部１２０に対してリアキャビネット２０を重ねた状況が示されている。リアキャビネット２０は、バックライトシャーシの切起し部１２０上に重ねられているため、リアキャビネット２０とバックライトシャーシ１２との間には、切起し部１２０の切起しの高さに等しい隙間２４（図４（ｂ）参照）が形成されている。その隙間２４に、図５（ａ）に示したスタンド金具３１の側壁部３１２、３１２が挿入されることになる。
【００４７】
以上まとめると、バックライトシャーシ１２のメイン基板１２１取付け部の両サイドには、スタンド金具３１を取り付けるための断面Ｌ字状の取付け部が形成されていて、バックライトシャーシ１２と前記Ｌ字状の取付け部との間にスタンド金具取付け用の間隙が形成されており、前記スタンド金具３１は、前記スタンド金具取付け用の隙間に着脱可能に取り付けられていることになる。
【００４８】
スタンド金具３１を装着後、バックライトシャーシ１２、リアキャビネット２０、スタンド金具３１を適宜の個着手段によって固着することになる。図４（ｃ）は、バックライトシャーシ１２に対して、リアキャビネット２０、スタンド金具３１が積層されて保持・固着された状況を示している。
【００４９】
バックライトシャーシ１２、リアキャビネット２０、スタンド金具３１の３者を個着するには、例えば、バックライトシャーシ１２の切起し部１２０、リアキャビネット２０のメイン基板キャビネット２１の側辺部、及びスタンド金具３１の側辺部に対して、それぞれの予め決められた位置に孔を設けておき、リアキャビネット２０、スタンド金具３１をバックライトシャーシ１２の切起し部１２０に重ねた後に、ビス等の適宜の方法により固定する。図４（ｃ）において、３５から３８は、３者を４箇所の位置でビス止めした例を示している。
【００５０】
なお、図４（ｃ）において、リアキャビネット２０の開口部２３から、端子部１２４が露出しており、表示装置と外部との接続はこの端子部１２４によって行うことができる。
【００５１】
スタンド金具３１は、必要とする強度の観点から金属製であることが好ましいが、メイン基板１２１を完全に蓋うことから、メイン基板１２１をシールドするという観点からも金属即ち導電体が好ましい。
〔壁掛け対応〕
図６には、以上に述べた表示装置を壁掛け保持する場合の例が示されている。
【００５２】
図６（ａ）に示すように、表示装置を壁掛け保持させる場合には、スタンド金具３１は使用されず、スタンド金具３１に代えて、表示装置側の壁掛け保持具４０が用いられる。即ち、図４（ｂ）で説明したとおり、バックライトシャーシ１２の裏面にリアキャビネット２０を取り付けた後、リアキャビネット２０とバックライトシャーシ１２との間の隙間２４に対して、表示装置側の壁掛け保持具４０を装着する。
【００５３】
表示装置側の壁掛け保持具４０は、例えば、図６（ｂ）に詳細に示すように、突起４２を設けた薄板状の部材４１を対にして用いたものであって良く、これら壁掛け保持具用の部材４１、４１は、孔４３を介してバックライトシャーシ１２にビス止め等により、固定されることになる。
【００５４】
前記表示装置側の壁掛け保持具４０は、壁側の保持具４５に保持・固着される必要があるが、壁側の保持具４５としては、例えば、図６（ｂ）に示すように、前記部材４１の突起４２が契合する凹部４６が形成された部材でよい。より強固に壁に固定する場合には、凹部４６を鍵型の凹部にしておき、簡単には外れない構造とすることもできる。図６（ｃ）は、表示装置を壁掛け保持したばあいの状況を示している。
〔まとめ〕
以下、本願の発明を纏めると、本願の発明に係る表示装置では、
表示パネルと、前記表示パネルの背面をカバーし前記表示パネルを保持するするシャーシと、前記表示パネルを駆動するための駆動回路が搭載された回路基板と、前記回路基板部分をカバーするリアキャビネットを有した表示装置であって、
前記シャーシは、シャーシのみで表示パネルを保持できる剛性を有するものであり、
前記回路基板は、表示装置のための信号処理部等が搭載されたメイン基板と、ソースドライバが搭載されたソース基板を有しており、
前記リアキャビネットは、前記メイン基板をカバーするメイン基板キャビネットと、前記ソース基板をカバーするソース基板キャビネットを有するものであって、前記メイン基板は、前記シャーシの下辺中央部に取り付けられており、
少なくとも前記メイン基板キャビネットの全面がスタンド金具によって覆われていることを特徴としている。
【００５５】
これによれば、シャーシの下辺中央部に配置されたメイン基板キャビネットの全面を、スタンド金具によってカバーする構造であり、表示装置の裏面の大部分が、リアキャビネットの無い、シャーシが露出した薄型形状となり、表示装置のための信号処理部等が表示装置の背面シャーシ上に搭載されていながら良好な薄型デザイン性を維持できるすっきりとした表示装置の薄型化が達成できる。
【００５６】
また、本願の別の発明に係る表示装置では、
前記ソース基板は、前記シャーシの下辺部であって、表示パネルの下辺部の全長に渡って延びており、前記リアキャビネットは、前記メイン基板をカバーするメイン基板キャビネットと前記ソース基板をカバーするソース基板キャビネットによって逆Ｔ字型に形成されていることを特徴としている。
【００５７】
これによれば、ソース基板を蓋うソース基板キャビネットは、表示装置の下辺部に沿って配置されていて逆Ｔ字型に形成されたリアキャビネット２０では、バックライトシャーシの最下辺部に長いソース基板キャビネット２２が形成され、最下辺部に厚さの厚い部分が形成されることになるが、最下辺部であり、これによって表示装置１全体の厚みが厚くなったと意識させることは少ない。また、背面シャーシのスタンド金具取付部より下辺にソース基板キャビネット２２が形成されスタンド金具より上辺はシャーシが露出した薄型形状となり良好な薄型デザイン性を維持できるすっきりとした表示装置の薄型化が達成できる。
【００５８】
更に、本願の別の発明では、
前記表示パネルは、エッジライト方式の液晶パネルであり、前記シャーシの下辺部にはバックライト光源用のＬＥＤを搭載したＬＥＤ基板が設けられていることを特徴としている。
【００５９】
これによれば、液晶パネルを用いた薄型の表示装置を得ることができる。即ち、液晶パネルでは必須の光源が、シャーシ（バックライトシャーシ）の下辺部に設けられており、表示装置背面の大部分はシャーシが直接露出した構成とすることができることから、この部分の厚みを意識させることは殆んどなく、液晶パネルを用いた薄型の表示装置を提供できることになる。また、光源として、エッジライト方式の複数個のＬＥＤ基板がシャーシ下辺に固定されており、シャーシ下辺の発熱源である下辺も最下辺部に長いソース基板キャビネット２２を利用して覆われ直接触れることがなくなる。
【００６０】
更に、本願の別の発明では、
前記シャーシの前記メイン基板取付け部の両サイドには、前記スタンド金具を取り付けるための断面Ｌ字状の取付け部が形成されていて、前記シャーシと前記Ｌ字状の取付け部との間にスタンド金具取付け用の隙間が形成されており、
前記スタンド金具は、前記スタンド金具取付け用の隙間に着脱可能に取り付けられていることを特徴としている。
【００６１】
これによれば、スタンド金具によって、メイン基板キャビネットの全面を覆うことが容易であり、また、スタンド金具を良導体で作成することによりメイン基板のシールドを兼ねさせることもでき、外部ノイズに影響され難い薄型の表示装置を提供できる。
更に、本願の別の発明では、
前記スタンド金具取付け用の隙間には、前記スタンド金具に代えて、壁掛け保持具が取り付けられており、壁掛け保持可能に構成された表示装置であることを特徴としている。
【００６２】
これによれば、壁掛け保持が容易な薄型の表示装置を得ることができる。即ち、この発明によれば、スタンド金具に代えて、壁掛け保持具を容易に装着できるものであり、表示装置の設置方法をユーザーのニーズに応じて柔軟に選択できることになる。
【００６３】
更に、本願の別の発明では、上記に記載の表示装置を有するテレビであることを特徴としている。
【００６４】
これによれば、薄型のテレビを得ることができ、また、壁掛け保持させることも可能なテレビを得ることができる。
【産業上の利用可能性】
【００６５】
本発明に係る表示装置によれば、薄型の表示装置及び薄型のテレビが得られるものであり、産業上の利用可能性は高い。
【符号の説明】
【００６６】
１  表示装置
１０  表示モジュール
１１  表示パネル
１２  バックライトシャーシ（又はシャーシ）
１３  光学シート
１４  導光板
１５  反射シート
１６  ＬＥＤ基板
１７  フロントキャビネット
２０  リアキャビネット
２１  メイン基板キャビネット
２２  ソース基板キャビネット
２３  リアキャビネットの開口部
２４  隙間
３０  スタンド
３１  スタンド金具
３２  スタンド支持体
３３  スタンド台
４０  表示装置側の壁掛け保持具
４１  薄板状の部材
４３  孔
４５  壁側の保持具
１２０  バックライトシャーシ切起し部
１２１  メイン基板
１２２  ソース基板
１２３  ソースドライバ
１２４  端子部
３１０  スタンド金具の主面
３１１  蓋部
３１２  側壁部
【図１】
2014071368.tif 000003
【図２】
2014071368.tif 000004
【図３】
2014071368.tif 000005
【図４】
2014071368.tif 000006
【図５】
2014071368.tif 000007
【図６】
2014071368.tif 000008
【図７】
2014071368.tif 000009
【図８】
2014071368.tif 000010
【図９】
2014071368.tif 000011